(57)【特許請求の範囲】
【請求項１】
パワースプリッタにより複数に分岐される光ファイバ伝送路に結合される光終端装置であって、
前記パワースプリッタにより複数に分岐された後の光ファイバに結合される第１光終端装置は、
送信波長を可変可能な第１光送信手段と、
受信波長を可変可能な第１光受信手段と、
前記第１光送信手段の送信光と第１光受信手段の受信光とを合分波する第１光波長合分波器と、
前記第１光受信手段の出力信号から未使用の受信波長を検出する第１検出手段と、
前記第１光受信手段の受信波長を前記第１検出手段により検出された前記未使用の受信波長に設定し、前記第１光送信手段の送信波長を前記設定された受信波長に対応する送信波長に設定する波長設定手段と
を備え、
前記パワースプリッタにより分岐される前の光ファイバに結合される第２光終端装置は、
未使用波長情報を重畳した送信光を送信する第２光送信手段と、
前記第１光送信手段の送信光を受信する第２光受信手段と、
前記第２光受信手段の出力信号から受信波長を検出する第２検出手段と、
から成る複数の光送受信装置と、
前記複数の光送受信装置の送信光と受信光とを合分波する第２光波長合分波器と、
前記第２光受信手段の受信波長を前記第２検出手段により検出したとき、前記第２検出手段で検出された全ての受信波長に基づき未使用波長情報を生成し、各前記第２光送信手段の送信光の波長を設定するための制御信号、および前記未使用波長情報を前記第２光送信手段に送出する波長監視手段と、
を備えたことを特徴とする光終端装置。
【請求項２】
前記第１検出手段は、前記第１光受信手段の受信光パワーが所定の閾値以上か否かを測定する、または前記第２光送信手段の送信光に重畳された未使用波長情報を読み取ることにより、未使用の受信波長を検出することを特徴とする請求項１に記載の光終端装置。
【請求項３】
前記第１検出手段が前記第２光送信手段の送信光に重畳された未使用波長情報を読み取ることが出来ないとき、前記第１光受信手段の受信波長を再掃引し、再度、前記第１光受信手段の受信光パワーが所定の閾値以上か否かを測定する、または前記第２光送信手段の送信光に重畳された未使用波長情報を読み取ることにより、未使用の受信波長を検出することを特徴とする請求項２に記載の光終端装置。
【請求項４】
前記第１検出手段が第１の未使用の受信波長を検出し、前記波長制御手段によって前記第１の未使用の受信波長に対応した前記第１光送信手段の送信波長を設定したにも関わらず、前記第１光受信手段が、前記第２光送信手段からの送信波長を検出しないとき、
前記第１光受信手段の受信波長を再掃引して、再度、前記第１光受信手段の受信光パワーが所定の閾値以上か否かを測定する、または前記第２光送信手段の送信光に重畳された未使用波長情報を読み取ることにより、第２の未使用の受信波長を検出することを特徴とする請求項２に記載の光終端装置。
【請求項５】
前記第１検出手段が第１の未使用の受信波長を検出し、前記波長制御手段によって前記第１の未使用の受信波長に対応した前記第１光送信手段の送信波長を設定したにも関わらず、前記第１光受信手段が、前記第２光送信手段からの送信波長を検出しないとき、
前記第１検出手段は、乱数を発生させて決定したランダムな時間の経過後に、再度、前記第１光受信手段の受信光パワーが所定の閾値以上か否かを測定する、または前記第２光送信手段の送信光に重畳された未使用波長情報を読み取ることにより、第２の未使用の受信波長を検出することを特徴とする請求項２に記載の光終端装置。
【請求項６】
前記第１検出手段が第２の未使用の受信波長を検出し、前記波長制御手段によって前記第２の未使用の受信波長に対応した前記第１光送信手段の送信波長を設定したにも関わらず、前記第１光受信手段が、前記第２光送信手段からの送信波長を検出しないとき、
前記波長制御手段は、前記第１光受信手段の受信波長を再掃引し、再度、前記第１光受信手段の受信光パワーが所定の閾値以上か否かを測定する、または前記第２光送信手段の送信光に重畳された未使用波長情報を読み取ることにより、第３の未使用の受信波長を検出することを特徴とする請求項５に記載の光終端装置。
【請求項７】
前記波長制御手段は、前記第１光受信手段の再掃引後の受信波長を、乱数を発生させて決定したランダムな波長に設定することを特徴とする請求項４又は６に記載の光終端装置。
【請求項８】
前記第１光送信手段は前記第１光波長合分波器から送出された送信波長情報を重畳した送信光を送信し、前記第２検出手段が前記第１送信手段の送信光に重畳された送信波長情報を読み取ることにより送信波長を検出し、前記第２光送信手段は送信波長を可変可能であって、前記波長監視手段が前記第２光送信手段の送信波長を前記第２検出手段により検出された前記送信波長に設定することを特徴とする請求項１乃至７のいずれかに記載の光終端装置。
【発明の詳細な説明】
【技術分野】
【０００１】
本発明は、光終端装置に関し、より詳細には、パワースプリッタにより複数に分岐される光ファイバ伝送路を用いた波長多重光通信システムに使用する光終端装置に関する。
【背景技術】
【０００２】
近年、インターネットをはじめとするデータ通信トラフィックの増大により、波長分割多重（WDM: Wavelength Division Multiplexing）技術を利用した、大容量なコアネットワークやメトロネットワークの構築が進んでいる。このWDM技術は、大容量化だけでなく、波長毎に異なったサービスや利用者を割り当てることにより、ネットワークを柔軟に構築することにも寄与し得る。アクセスネットワークにおいては、データ通信トラフィックの増大に対応するため、時分割多重（TDM: Time Division Multiplexing）技術を利用した光アクセス方式が導入されている。例えば、GE-PON（Gigabit Ethernet（登録商標） Passive Optical Network）や、G-PON（Gigabit-capable Passive Optical Network）などが挙げられる。これら光アクセス方式では、パワースプリッタを用いて光ファイバ伝送路を複数に分岐し、収容局からパワースプリッタまでの光ファイバを複数の加入者で共用することにより、加入者当りのコスト低減を図っている。
【０００３】
しかしながら、今後の更なるデータ通信トラフィックの増大に対して、TDM技術を用いた現行の光アクセス方式で対応するとなると、より高速な電気回路が必要になり、電気部品の高コスト化や消費電力の増大を招くことになる。一方、WDM技術をアクセスネットワークに適用したWDM-PONの検討も多くなされている。本方式によれば、例えば、１加入者に１波長を割り当てることにより、電気回路を高速化することなく、加入者当りのサービス帯域を増大することが出来る。
【０００４】
GE-PONや、G-PONによりサービスを提供している事業者は、WDM-PONを導入する前提として、パワースプリッタを配置した既設網の活用を考えるものと予想される。これが可能であれば、既設網の変更に要するコストを省くことが出来るからである。また、波長に依存することのない加入者側に配置する第２の光終端装置（ONU: Optical Network Unit）、つまり、単一品種（カラーレス）ONUの実現を望むものと考えられる。送信波長と受信波長がことなる複数品種のONUを用いると利便性が大きく低下するからである。
【０００５】
図１に、既設網を活用したWDM-PONの構成を示す。収容局側に配置される第１の光終端装置（OLT: Optical Line Terminal）１１０とN個のONU１２０が、所外に配置されるパワースプリッタ１０を介して、光ファイバ２０により結合される。OLT１１０は、N個のOSU（Optical Subscriber Unit）１１１の入手出力がそれぞれ波長合分波器１１２に結合されている。また、波長合分波器１１２に入出力されるWDM光に監視光源１１３からの光が、監視光源合波器１１４を介して合波されるように構成される。
【０００６】
一方、ONU１２０は、光送信器１２１の出力が波長合分波器１２４に結合され、波長合分波器１２４の出力が波長可変フィルタ１２３を介して光受信器１２２に結合されている。波長合分波器１２４から入出力される光の一部は、監視光源分波器１２５を介して受光器１２６に入力され、検出器１２７で得られた監視情報に基づいて波長制御回路１２８で光送信器１２１、波長可変フィルタ１２３を制御するように構成される。光送信器１２１は、送信波長を可変することができ、受信波長を選別する波長可変フィルタ１２３と協働して、カラーレスONUを実現する。ONU１２０をカラーレス化するためには、波長合分波器１２４の選択も考慮する必要がある。
【０００７】
図２に、WDM-PON波長配置の一例を示す。図２において、上向きの矢印と下向きの矢印は、それぞれ、上り信号と下り信号を示す。また、点線は、ITU-Tグリッドを示す。図２では、上り波長と下り波長を異なる波長帯に分けている。この波長配置の場合、合分波器として、上り信号と下り信号の波長帯を一括して合分波する低損失な光フィルタを用いることが望ましいが、光カプラを用いることもできる。
【０００８】
図３に、上り波長と下り波長の対応関係および使用状態の一例を示す。ここでは、便宜上、上り波長と下り波長の対応を波長番号の小さい順番、つまり波長の短い順番に従って決定しているが、他の任意の組み合わせも可能である。パワースプリッタ１０に結合されたONU１２０は、その内部の光送信器１２１と光受信器１２２に、未使用波長を割り当てる必要がある。例えば、ONU1１２０−１〜ONUN-1１２０−N-1がパワースプリッタ１０に結合され、図３のように波長番号１〜N-1までの組み合わせが既に使用状態にあるところにONUNを結合したとすると、波長番号Nの組み合わせが未使用波長となる。この未使用波長を検出するために、ここでは、監視光源に重畳した未使用波長（もしくは、使用波長）情報を利用する。未使用波長（もしくは、使用波長）情報を重畳された監視光は、監視光源合波器１１４において下り信号と合波され、各ONU１２０に送られる。各ONU１２０は、監視光源分波器１１４において、監視光と下り信号を分波する。分波された監視光は、受光器１２６において光電気変換され、検出器１２７において重畳された未使用波長（もしくは、使用波長）情報を読み取り、読み取り結果を波長制御回路１２８に送る。波長制御回路１２８は、制御信号を光送信器１２１と波長可変フィルタ１２３に送り、各々の波長を未使用波長に設定する。しかしながら、本構成では、この波長設定を行うために、監視光源１１３、監視光源合波器１１４、監視光源分波器１２５を必要とする。
【０００９】
一方、監視光源を必要としない波長設定方式も提案されている（特許文献１参照）。図４に、監視光源を必要としない従来のONUの構成を示す。本ONU１３０は、光送信器１３１、光受信器１３２、波長可変フィルタ１３３、波長合分波器１３４、検出器１３５、波長制御器１３６から構成される。光送信器１３１は、図１の構成と同様、送信波長を可変することができ、受信波長を選別する波長可変フィルタ１３３と協働して、カラーレスONUを実現するが、図１のONU１２０とは未使用波長の検出方法が異なる。本方式では、まず、波長可変フィルタ１３３の透過波長を下り波長に合わせつつ掃引させる。次に、光受信器１３２において光電気変換された信号の一部を検出器１３５に送り、光パワーを測定した後、測定結果を波長制御器１３６に送る。
【００１０】
波長制御器１３６においては、光パワーがある値より小さい、もしくは以下であれば、光送信器の上り波長を、このときの下り波長に対応する波長に設定する。また、光パワーがある値より大きい、もしくは以上であれば、さらに波長可変フィルタ１３３の透過波長を掃引し、再度これまでの動作を行う。本方式によれば、未使用波長の検出を、下り信号の光パワー測定により行うため、監視光源を必要としないという利点がある。
【００１１】
【特許文献１】国際公開第２００７／０８６５１４号パンフレット
【非特許文献１】Makoto Murakami, Takamasa Imai, and Masaharu Aoyama, “A remote supervisory system based on subcarrier overmodulation for submarine optical amplifier systems”, IEEE J. Lightwave Technol., 1996, Vol. 14, No. 5, pp. 671-677
【発明の開示】
【発明が解決しようとする課題】
【００１２】
しかしながら、ONU1〜ONUN-1がパワースプリッタ１０に結合され、図３のように、波長番号１〜N-1までの組み合わせが既に使用状態にあるところにONUNを結合したとする。この場合、N-1個の下り波長が既に使用されているため、波長可変フィルタの掃引をN回行った後にようやく未使用波長が検出され、波長設定が完了するまでに長い時間を要することも起こり得る。
【００１３】
本発明は、このような課題に鑑みてなされたもので、その目的とするところは、監視光源を用いることなく、短時間で波長設定を完了することのできる光終端装置を提供することにある。
【課題を解決するための手段】
【００１４】
このような目的を達成するために、請求項１に記載の発明は、パワースプリッタにより複数に分岐される光ファイバ伝送路に結合される光終端装置であって、前記パワースプリッタにより複数に分岐された後の光ファイバに結合される第１光終端装置は、送信波長を可変可能な第１光送信手段と、受信波長を可変可能な第１光受信手段と、前記第１光送信手段の送信光と第１光受信手段の受信光とを合分波する第１光波長合分波器と、前記第１光受信手段の出力信号から未使用の受信波長を検出する第１検出手段と、前記第１光受信手段の受信波長を前記第１検出手段により検出された前記未使用の受信波長に設定し、前記第１光送信手段の送信波長を前記設定された受信波長に対応する送信波長に設定する波長設定手段とを備え、前記パワースプリッタにより分岐される前の光ファイバに結合される第２光終端装置は、未使用波長情報を重畳した送信光を送信する第２光送信手段と、前記第１光送信手段の送信光を受信する第２光受信手段と、前記第２光受信手段の出力信号から受信波長を検出する第２検出手段と、から成る複数の光送受信装置と、前記複数の光送受信装置の送信光と受信光とを合分波する第２光波長合分波器と、前記第２光受信手段の受信波長を前記第２検出手段により検出したとき、前記第２検出手段で検出された全ての受信波長に基づき未使用波長情報を生成し、各前記第２光送信手段の送信光の波長を設定するための制御信号、および前記未使用波長情報を前記第２光送信手段に送出する波長監視手段と、を備えたことを特徴とする。
【００１５】
請求項２に記載の発明は、請求項１に記載の光終端装置において、前記第１検出手段は、前記第１光受信手段の受信光パワーが所定の閾値以上か否かを測定する、または前記第２光送信手段の送信光に重畳された未使用波長情報を読み取ることにより、未使用の受信波長を検出することを特徴とする。
【００１６】
請求項３に記載の発明は、請求項２に記載の光終端装置において、前記第１検出手段が前記第２光送信手段の送信光に重畳された未使用波長情報を読み取ることが出来ないとき、前記第１光受信手段の受信波長を再掃引し、再度、前記第１光受信手段の受信光パワーが所定の閾値以上か否かを測定する、または前記第２光送信手段の送信光に重畳された未使用波長情報を読み取ることにより、未使用の受信波長を検出することを特徴とする。
【００１７】
請求項４に記載の発明は、請求項２に記載の光終端装置において、前記第１検出手段が第１の未使用の受信波長を検出し、前記波長制御手段によって前記第１の未使用の受信波長に対応した前記第１光送信手段の送信波長を設定したにも関わらず、前記第１光受信手段が、前記第２光送信手段からの送信波長を検出しないとき、前記第１光受信手段の受信波長を再掃引して、再度、前記第１光受信手段の受信光パワーが所定の閾値以上か否かを測定する、または前記第２光送信手段の送信光に重畳された未使用波長情報を読み取ることにより、第２の未使用の受信波長を検出することを特徴とする。
【００１８】
請求項５に記載の発明は、請求項２に記載の光終端装置において、前記第１検出手段が第１の未使用の受信波長を検出し、前記波長制御手段によって前記第１の未使用の受信波長に対応した前記第１光送信手段の送信波長を設定したにも関わらず、前記第１光受信手段が、前記第２光送信手段からの送信波長を検出しないとき、前記第１検出手段は、乱数を発生させて決定したランダムな時間の経過後に、再度、前記第１光受信手段の受信光パワーが所定の閾値以上か否かを測定する、または前記第２光送信手段の送信光に重畳された未使用波長情報を読み取ることにより、第２の未使用の受信波長を検出することを特徴とする。
【００１９】
請求項６に記載の発明は、請求項５に記載の光終端装置において、前記第１検出手段が第２の未使用の受信波長を検出し、前記波長制御手段によって前記第２の未使用の受信波長に対応した前記第１光送信手段の送信波長を設定したにも関わらず、前記第１光受信手段が、前記第２光送信手段からの送信波長を検出しないとき、前記波長制御手段は、前記第１光受信手段の受信波長を再掃引し、再度、前記第１光受信手段の受信光パワーが所定の閾値以上か否かを測定する、または前記第２光送信手段の送信光に重畳された未使用波長情報を読み取ることにより、第３の未使用の受信波長を検出することを特徴とする。
【００２０】
請求項７に記載の発明は、請求項４又は６に記載の光終端装置において、前記波長制御手段は、前記第１光受信手段の再掃引後の受信波長を、乱数を発生させて決定したランダムな波長に設定することを特徴とする。
【００２１】
請求項８に記載の発明は、請求項１乃至７のいずれかに記載の光終端装置において、前記第１光送信手段は前記第１光波長合分波器から送出された送信波長情報を重畳した送信光を送信し、前記第２検出手段が前記第１送信手段の送信光に重畳された送信波長情報を読み取ることにより送信波長を検出し、前記第２光送信手段は送信波長を可変可能であって、前記波長監視手段が前記第２光送信手段の送信波長を前記第２検出手段により検出された前記送信波長に設定することを特徴とする。
【発明の効果】
【００２２】
本発明によれば、光終端装置において、監視光源を用いることなく、短時間で波長設定を完了することが可能になる。
【発明を実施するための最良の形態】
【００２３】
以下、図面を参照しながら本発明の実施形態について詳細に説明する。
【００２４】
（実施形態）
図５に、本発明の実施形態１に係るパワースプリッタにより分岐される前の光ファイバに結合される第１の光終端装置（OLT）の構成を示す。本OLT２１０は、N個のOSU２１１、波長合分波器２１２、波長監視回路２１３から構成される。また、各OSU２１１は、光送信器２１４、光受信器２１５、検出器２１６から構成される。
【００２５】
ONUからの上り信号光がOSUiの光受信器２１５に到達すると、この上り信号は光電気変換後、検出器２１６において受信波長情報が検出され、波長監視回路２１３に送られる。但し、他のONUから同じ上り信号光が同時に到達した場合、検出器２１６は、ONUから信号光が到達しなかったものと判断し、受信波長情報を波長監視回路２１３に送らない。波長監視回路２１３は、N個のOSU２１１すべてと結合され、動作状態にない（もしくは、動作状態にある）OSU２１１を把握している。言い換えれば、未使用波長（もしくは、使用波長）情報を把握している。
【００２６】
波長監視回路２１３は、OSUi２１１の受信波長情報を受け取ると、光送信器２１４から下り信号を送信するための制御信号、および未使用波長（もしくは、使用波長）情報を光送信器２１４に送る。光送信器２１４は、未使用波長（もしくは、使用波長）情報を重畳した下り信号を送信する。未使用波長情報を下り信号に重畳するに際しては、例えば、GE-PONにおいて、上り信号に送信許可を与えるために利用される監視フレームなどのように、主信号と論理的に分離されたチャネルを用いることができる。また、Subcarrier Multiplexing（SCM）技術などにより、主信号と物理的に分離されたチャネルを用いることもできる（非特許文献１参照）。
【００２７】
一方、図６に、本発明の実施形態１に係るパワースプリッタにより複数に分岐された後の光ファイバに結合される第２の光終端装置（ONU）の構成を示す。本ONU２２０の構成は図４のONUと同じであるが、波長制御器２２６の波長設定プロセスが異なる。まず、波長可変フィルタ２２３の透過波長を下り波長に合わせつつ掃引させる。この第１回目の掃引による設定波長については、例えば、図３の波長配置に対して、波長番号１の組み合わせを選択するなどの規則を定めておけばよい。
【００２８】
次に、光受信器２２２において光電気変換された信号の一部を検出器２２５に送り、光受信器２２２の受信光パワーが所定の閾値以上か否かを測定する。また、受信光パワーが閾値より大きい、もしくは以上であれば、下り信号に重畳された未使用波長（もしくは、使用波長）情報の読み取りを行う。これらの結果は波長制御器２２６に送られる。波長制御器２２６においては、光パワーが閾値より小さい、もしくは以下であれば、光送信器２２１の波長を、このときの下り波長に対応する波長に設定する。また、光パワーが閾値より大きい、もしくは以上であれば、未使用波長（もしくは、使用波長）情報をもとに、波長可変フィルタ２２３の透過波長を未使用の下り波長まで掃引し、光送信器２２１の上り波長をそれに対応する波長に設定する。未使用波長が複数存在する場合、どの波長に設定するかが問題となるが、予め規則を定めておくことで解決できる。例えば、図３の波長配置に対して、未使用波長のうち最も波長番号の小さい組み合わせを選択する、乱数を発生させて未使用波長の組み合わせのうち任意の１組を選択する、などの規則を適用すればよい。
【００２９】
本方式によれば、未使用波長の検出を、下り信号波長の光パワー測定だけでなく、下り信号に重畳された未使用波長（もしくは、使用波長）情報の読み取りよっても行うため、装置の故障などがなければ、ONU２２０の数がどんなに多くても、波長可変フィルタ２２３の透過波長を多くても２回掃引するだけで、短時間に波長の設定が完了する。具体的に説明すると、例えば、ONU1〜ONUN-1２２０がパワースプリッタ１０に結合され、図３のように、波長番号１〜N-1までの組み合わせがすでに使用状態にあるところにONUN２２０を結合したとする。その場合、最初に、波長番号１〜N-1番までの波長に波長可変フィルタ２２３の透過波長を合せたとしても、そこで未使用波長情報を読み取り、次の波長可変フィルタ２２３の掃引で、波長番号N番の未使用波長に到達できる。言うまでもなく、最初に、波長番号N番の波長に波長可変フィルタ２２３の透過波長を合わせれば、１回の掃引で未使用波長に到達できる。
【００３０】
尚、本実施例によれば、未使用波長の検出を、下り信号の光パワー測定値、および下り信号に重畳された未使用波長（もしくは、使用波長）情報から行うため、監視光を別途必要とすることもない。
【００３１】
図７に、本発明の実施形態にかかる第２の光終端装置（ONU）の波長設定プロセスを示す。本波長設定プロセスが開始（S600）されると、波長可変フィルタ２２３が波長制御回路２２６を通じて掃引され（S601）、透過波長を所定の下り信号波長に設定し、下記のような方法により未使用波長を検出する（S602、S603）。未使用波長の検出には、光パワーが所定の閾値よりも小さい、もしくは以下であるとき、そのときの下り波長を未使用波長として検出する。また、光パワーが所定の閾値より大きい、もしくは以上であるときは、下り信号に重畳されている未使用波長（もしくは、使用波長）情報を読み取り、その結果に基づき未使用波長を検出する。その後、波長制御回路２２６を介して波長可変フィルタ２２３の２度目の掃引を行い、検出された未使用波長に設定する（S604）。
【００３２】
次に、ONU２２０は、波長制御回路２２６を介して光送信器２２１の波長を検出された未使用波長に設定し、未使用の下り波長に対応する上り波長を送出する（S605）。上り波長の送出後、ONU２２０は対応する下り波長においてOLT２１０からの受信波長の有無を確認する（S606）。受信波長が確認されると、ONU２２０とOSU２１１は通信を開始し（S607）、波長設定プロセスを終了する（S610）。
【００３３】
しかし、S606においては、対応するOSU２１１に他のONU２２０から同時に上り波長が到達した場合や、OSU２１１が故障した場合は、一定時間内に受信波長が確認されない。その場合は、以下の２つのプロセスを行うことで、短時間に波長設定を行うことができる。
【００３４】
第１の方法は、波長可変フィルタ２２３を再掃引し、別の下り信号波長に設定の後、波長設定プロセス全体を繰り返す。ONU２２０が同時接続された場合、本プロセスが実行されると、複数のONU２２０が同時に波長可変フィルタ２２３を掃引することも起こり得る。従って、再度の競合を避けるため、未使用波長の組み合わせのうち任意の１組を、乱数に基づいて選択するのが望ましい（S609）。
【００３５】
第２の方法は、波長可変フィルタ２２３を再掃引せずに、光パワーの測定（S602）以降のプロセスを再試行し、同じ上り波長を再送出する。その際、再試行プロセスを、乱数を発生させて決定したランダムな時間の経過後に行うことで、他のONU２２０との間で、OSU２１１において競合が生じる確率を低減することが出来る（S608）。
【００３６】
図７に示すように、S608を行った後に、S609を行うこともできる。また、S608とS609は必ずしも両方行う必要はなく、S608およびS609のどちらか一方のみを行うだけでもよい。
【００３７】
下り信号に重畳された未使用波長情報の読み取りが出来なかった場合についても同様に波長可変フィルタ２２３を再掃引し、別の下り信号波長に設定の後、波長設定プロセス全体を繰り返すことによって迅速な波長設定が可能である。
【００３８】
また、各OSU２１１の送信波長は光送信器２１４の初期設定で決められているが、OSU２１１の光送信器２１４を波長可変とし、ONUで上り信号に波長情報を重畳すれば、ONU側で指定する送信波長に光送信器２１４を設定することもできる。すなわち、ONU２２０の波長制御回路２２６から送信波長情報を光送信器２２１に送り、光送信器２１４が下り信号に波長情報を重畳するのと同様に、光送信器２２１が上り信号に送信波長情報を重畳する。上り信号を受信したOSU２１１は、検出器２１６で送信波長情報を読み取って波長監視回路２１３に送る。そして、波長監視回路２１３がONU２２０から送られた送信波長情報に基づきOSU２１１の光送信器２１４の送信波長を設定することによって可能である。
【図面の簡単な説明】
【００３９】
【図１】既設網を活用したWDM-PONの構成を示す図である。
【図２】WDM-PON波長配置の一例を示す図である。
【図３】上り波長と下り波長の対応関係および使用状態の一例を示す図である。
【図４】監視光源を必要としないONUの構成を示す図である。
【図５】本発明の実施形態１に係るパワースプリッタにより分岐される前の光ファイバに結合される第１の光終端装置（OLT）の構成を示す図である。
【図６】本発明の実施形態１に係るパワースプリッタにより複数に分岐された後の光ファイバに結合される第２の光終端装置（ONU）の構成を示す図である。
【図７】本発明の実施形態にかかる第２の光終端装置（ONU）の波長設定プロセスを示すフローチャートである。
【符号の説明】
【００４０】
１０  パワースプリッタ
２０  光ファイバ
１１０、２２０  OLT
１１１、２１１  OSU
１１２、１２４、１３４、２１２、２２４  波長合分波器
１１３  監視光源
１１４  監視光源合波器
１２０、１３０、２２０  ONU
１２１、１３１、２１４、２２１  光送信器
１２２、１３２、２１５、２２２  光受信器
１２３、１３３、２２３  波長可変フィルタ
１２５  監視光源分波器
１２６  受光器
１２７、１３５、２１６、２２５  検出器
１２８、１３６、２２６  波長制御回路
２１３  波長監視回路
【図１】
0004994300.tif 000002
【図２】
0004994300.tif 000003
【図３】
0004994300.tif 000004
【図４】
0004994300.tif 000005
【図５】
0004994300.tif 000006
【図６】
0004994300.tif 000007
【図７】
0004994300.tif 000008